(57)【要約】      （修正有）【課題】接着效果に優れ、損傷部を熱で自己修復できるヘルメットにおける変色シールドの構造を提供する。【解決手段】ヘルメットシールド１ａと、ヘルメットシールドの外側に設けられる接着層２ａと、接着層と対応して接着される軟質基材層３１ａと、軟質基材層上に設けられる熱修復層３２ａと、軟質基材層または熱修復層と対応して結合される複数の変色材料４ａからなり、熱修復層内は、ポリウレタン層と、ポリウレタン層の一側に設けられるシロキサン層を備える。軟質基材層は、ＰＵ、ＴＰＵ、ＰＶＣ、または、ＰＥＴ材質から選ばれ、弾性があり、接着層にフィットしてヘルメットシールド上に平滑に接着される。熱修復層は、ヘルメットシールドに傷がついたり摩耗したりした場合に高温により自己修復を可能にし、変色材料とヘルメットシールドの外側の軟質基材層または熱修復層を結合させることで、実用性と耐久性を兼ね備える。【選択図】図５
0003233845.tif 000002
【実用新案登録請求の範囲】
【請求項１】
ヘルメットシールドと、接着層と、軟質基材層と、熱修復層と、シロキサン層と、複数の変色材料とからなるヘルメットにおける変色シールドの構造であって、
前記接着層は、前記ヘルメットシールドの外側に設けられ、
前記軟質基材層は、前記接着層と対応して接着され、前記軟質基材層は、ポリウレタン（Ｐｏｌｙｕｒｅｔｈａｎｅ、ＰＵ）、熱可塑性ポリウレタン（Ｔｈｅｒｍｏｐｌａｓｔｉｃ  ｐｏｌｙｕｒｅｔｈａｎｅｓ、ＴＰＵ）、ポリ塩化ビニル（Ｐｏｌｙｖｉｎｙｌ  Ｃｈｌｏｒｉｄｅ、ＰＶＣ）、または、ポリエチレンテレフタレート（Ｐｏｌｙｅｔｈｙｌｅｎｅ  ｔｅｒｅｐｈｔｈａｌａｔｅ、ＰＥＴ）のうちのいずれかであり、
前記熱修復層は、前記軟質基材層上に設けられるとともに、前記熱修復層内は、ポリウレタン層と、前記ポリウレタン層の一側に設けられるシロキサン層を備え、
前記複数の変色材料は、前記軟質基材層または前記熱修復層と対応して結合されることを特徴とする、ヘルメットにおける変色シールドの構造。
【請求項２】
前記ヘルメットシールドの内側には防曇層が設けられることを特徴とする、請求項１に記載のヘルメットにおける変色シールドの構造。
【請求項３】
前記接着層は、親水性接着剤であることを特徴とする、請求項１に記載のヘルメットにおける変色シールドの構造。
【請求項４】
前記変色材料と前記熱修復層が結合されると、前記熱修復層内に均一に分布することを特徴とする、請求項１に記載のヘルメットにおける変色シールドの構造。
【請求項５】
前記変色材料と前記軟質基材層が結合されると、前記軟質基材層内に均一に分布されることを特徴とする、請求項１に記載のヘルメットにおける変色シールドの構造。
【請求項６】
前記変色材料と前記軟質基材層が結合されると、前記軟質基材層の表面に設けられることを特徴とする、請求項１に記載のヘルメットにおける変色シールドの構造。
【請求項７】
前記熱修復層の温度が５０℃以上になると、傷または凹みが自己修復されることを特徴とする、請求項１に記載のヘルメットにおける変色シールドの構造。
【請求項８】
前記ヘルメットシールドは、曲面の透明シールドであることを特徴とする、請求項１に記載のヘルメットにおける変色シールドの構造。
【考案の詳細な説明】
【技術分野】
【０００１】
本考案は、ヘルメットにおける変色シールドの技術分野に関し、特に、接着效果に優れるとともに、損傷部に対する熱による自己修復機能を備えるヘルメットにおける変色シールドの構造に関する。
【背景技術】
【０００２】
ヘルメットにおける変色シールドの変色技術は、エレクトロクロミズムとフォトクロミズムに分類され、いずれも紫外線を吸収することで変色するとともに、太陽光を遮るシールドを形成し、太陽光が照射されないと元の光透過率に戻ることで再度透明になる。しかしながら、エレクトロクロミズムまたはフォトクロミズムの技術のいずれにしても、変色材料である一層の変色フィルムでシールドの表面を被覆するが、その方法は通常、スパッタリング、スプレー、または、浸漬であり、この種の方法は、シールドに傷がついたり摩耗したりした場合、表面の変色フィルムが剥がれてくることで、摩耗された部分の変色效果が失われる。さらに、変色シールドの製造コストは明らかに一般のシールドより高く、変色效果を保ちたい場合、摩耗すると取り替えなければならないため、交換率の高い消耗品は使用者にとって負担となる。
【０００３】
さらに、変色フィルムは通常前記シールドの外表面に設けられるため、傷がついたり摩耗したりしやすい。しかしながら、変色フィルムをシールドの内表面に設けると、風や砂による摩耗の要素は低減できるが、シールドの厚みが熱伝導の速度に影響を与えることで、変色フィルムが変色する速度が遅くなり、使用における利便性に影響が及ぶ。
【考案の概要】
【考案が解決しようとする課題】
【０００４】
本考案は、主に、変色機能を備えるとともに、軟質基材層の設計によりシールドに平滑に接着することができ、さらに、熱修復層により損傷した部分を熱により自己修復することのできるヘルメットにおける変色シールドの構造を提供することを目的とする。
【課題を解決するための手段】
【０００５】
上述の目的を達成するため、本考案の主な構造は、ヘルメットシールドと、接着層と、軟質基材層と、熱修復層と、ポリウレタン層と、シロキサン層と、複数の変色材料とからなり、そのうち、前記接着層はヘルメットシールドの外側に設けられ、前記軟質基材層と前記接着層は対応して接着されるとともに、其材質は、ポリウレタン（Ｐｏｌｙｕｒｅｔｈａｎｅ、ＰＵ）、熱可塑性ポリウレタン（Ｔｈｅｒｍｏｐｌａｓｔｉｃ  ｐｏｌｙｕｒｅｔｈａｎｅｓ、ＴＰＵ）、ポリ塩化ビニル（Ｐｏｌｙｖｉｎｙｌ  Ｃｈｌｏｒｉｄｅ、ＰＶＣ）、または、ポリエチレンテレフタレート（Ｐｏｌｙｅｔｈｙｌｅｎｅ  ｔｅｒｅｐｈｔｈａｌａｔｅ、ＰＥＴ）のうちのいずれかから選ばれ、前記熱修復層は軟質基材層に設けられ、前記ポリウレタン層は熱修復層内に設けられ、前記シロキサン層はポリウレタン層の一側に設けられ、前記変色材料は、軟質基材層または熱修復層に対応して結合される。
【０００６】
変色材料の効果により、ヘルメットシールドは、紫外線を吸収して遮光率を自己調整できるだけでなく、軟質基材層は、高弾性材質を備えることで、接着層と組み合わされて多方向かつ曲面に引き延ばされて接着されるとともに、熱風または蒸気を組み合わせて材料を加熱し軟化且つ収縮させることで、大きな曲面によって引き起こされる押し出し応力を解消することができるとともに、ポリウレタン層とシロキサン層からなる熱修復層は、傷がつくまたは摩耗した際に、高温によって自己修復できることで、ヘルメットシールドの摩耗によって変色材料の効果が失われるという問題が解決され、さらに、ヘルメットシールドの交換率が低減されることで、ヘルメットシールドの使用耐久性が向上する。
【考案の効果】
【０００７】
上述の技術により、従来のヘルメットの変色シールドに存在する変色フィルムの接着効果が好ましくない、シールドの交換率が高い、損傷を自己修復できないといった問題を解決し、上述の長所における実用進歩性を達成する。
【図面の簡単な説明】
【０００８】
【図１】本考案の好ましい実施例における斜視図である。
【図２】本考案の好ましい実施例におけるヘルメットシールドの分解図である。
【図３】本考案の好ましい実施例における変色を示した図である。
【図４】本考案の好ましい実施例における修復を示した図である。
【図５】本考案のさらに好ましい実施例におけるヘルメットシールドの分解図である。
【図６】本考案のさらに好ましい実施例における接着を示した図である。
【考案を実施するための形態】
【０００９】
図１〜図２に示す通り、本考案は、ヘルメットシールド１と、接着層２と、軟質基材層３１と、熱修復層３２と、複数の変色材料４とからなる。
【００１０】
接着層２は、前記ヘルメットシールド１の外側に設けられる。
【００１１】
軟質基材層３１は、前記接着層２と対応して接着され、前記軟質基材層３１は、ポリウレタン（Ｐｏｌｙｕｒｅｔｈａｎｅ、ＰＵ）、熱可塑性ポリウレタン（Ｔｈｅｒｍｏｐｌａｓｔｉｃ  ｐｏｌｙｕｒｅｔｈａｎｅｓ、ＴＰＵ）、ポリ塩化ビニル（Ｐｏｌｙｖｉｎｙｌ  Ｃｈｌｏｒｉｄｅ、ＰＶＣ）、または、ポリエチレンテレフタレート（Ｐｏｌｙｅｔｈｙｌｅｎｅ  ｔｅｒｅｐｈｔｈａｌａｔｅ、ＰＥＴ）のうちのいずれかである。
【００１２】
熱修復層３２は前記軟質基材層３１上に設けられるとともに、前記熱修復層３２内は、ポリウレタン層３２１と、前記ポリウレタン層３２１の一側に設けられるシロキサン層３２２を備える。
【００１３】
複数の変色材料４は、前記軟質基材層３１または前記熱修復層３２と対応して結合される。
【００１４】
そのうち、ヘルメットシールド１は、曲面の透明シールドであり、接着層２は、全透明の背のりであり、軟質基材層３１は、ＰＵ、ＴＰＵ、ＰＶＣ、または、ＰＥＴ等の弾性材質のフィルムであり、変色材料４は、粉状または液状の塩化銀またはハロゲン化銀である。本実施例における変色材料４は、軟質基材層３１の表面を被覆して設けられ、熱修復層３２は、軟質基材層３１に別に結合されるフィルムであり、特製の変色フィルム３は、軟質基材層３１、変色材料４、及び、熱修復層３２が共に１つに結合されてなる。
【００１５】
図１〜図４に示す通り、変色フィルム３が接着層２によってヘルメットシールド１上に結合される際、軟質基材層３１は、高弾性材質を備えることで、接着層２と組み合わされて多方向且つ曲面に引き延ばされて接着されるとともに、熱風または蒸氣を組み合わせて材料を加熱し軟化且つ収縮させることで、大きな曲面によって引き起こされる押し出し応力を解消することができ、それにより、ヘルメットシールド１の曲面に効果的にフィットさせることができ、完全に貼り付けることができる。変色材料４は、その紫外線に対してのみ化学反応を起こす特性により、反応後は色が比較的黒くなることで、ヘルメットシールド１の光透過率が低減すると同時に、紫外線を遮断する效果が達成される。さらに、太陽光が照射されなくなると、その可逆反応により透明状態に修復することで、ヘルメットシールド１は変色効果を備える。さらに、熱修復層３２は、自己修復性の塗料であり、熱修復層３２自体が一定の硬さ及び耐摩耗性を備えるため、高い架橋結合密度のポリウレタン層３２１及び有機変性のシロキサン層３２２を組み合わせることで、環境温度が５０℃以上になると、傷を自己修復することができる。具体的に言うと、熱修復層３２は、常温下では安定した状態を備える高分子材料であるが、外力の介入により分子の結合が切断されるとスクラッチと言われる微小なひびＣが生じる。このとき、適度な熱（６０℃が好ましい）が加えられると、切断された分子を再度結合させることができることで（図４に示す通り、点線は修復済みを示す）、自己修復の目的が達成され、実際に操作する場合、ドライヤー等を使用することでその反応を促進することができる。
【００１６】
ヘルメットシールド１は、防風シールドとも呼ばれ、その本質としては防風に使用される。自然風にはヘルメットシールド１に傷をつけてしまう石英砂が混ざっているため、人為的な衝突がなくても、ヘルメットシールド１の外側には、見えないわずかなひびＣが大量に生じ、さらには変色材料４の效果を失くしてしまう。従って、熱修復層３２と、変色材料４及び軟質基材層３１を１つに結合することで、ヘルメットシールド１の外側に簡単且つ確実に貼り付けることができるとともに、変色して目を保護することができ、さらに、自己修復することで無駄を減らすことができる。
【００１７】
図５〜図６に示す通り、本実施例と上述の実施例はほぼ同じであるが、前記ヘルメットシールド１ａの内側には防曇層５ａが設けられるとともに、前記接着層２ａは親水性接着剤に調整され、さらに、前記変色材料４ａは、前記熱修復層３２ａ内または軟質基材層３１ａ内に均一に分布される（本実施例では、軟質基材層３１ａを例とする）。防曇層５ａは、ヘルメットシールド１ａの内側に設けられることで、使用者の呼気によって視野に影響が及ぶのを防ぐことができる。さらに、本実施例の接着層２ａを接着する際、石鹸水２１ａをヘルメットシールド１ａ上に吹き付けるとともに、変色フィルム３ａの接着層２ａで石鹸水２１ａを覆うことで、石鹸水２１ａの潤滑性により接着層２ａをヘルメットシールド１ａ上で移動させることができ、位置を確認した後、石鹸水２１ａをこすり落とすことで接着が完成する。この種の湿式接着方法は、乾式接着に比べて、気泡が生じにくい、または、気泡を移動させる動作により確実に排出することができるため、接着効果に優れており、自由にスライドさせることができるため、より正確に位置決めしやすく、除塵する必要がない。            
【符号の説明】
【００１８】
１、１ａ  ヘルメットシールド
２、２ａ  接着層    
２１ａ  石鹸水
３、３ａ  変色フィルム
３１、３１ａ  軟質基材層    
３２、３２ａ  熱修復層
３２１  ポリウレタン層
３２２  シロキサン層    
４、４ａ  変色材料
５ａ  防曇層
Ｃ  ひび
【図１】
0003233845.tif 000003
【図２】
0003233845.tif 000004
【図３】
0003233845.tif 000005
【図４】
0003233845.tif 000006
【図５】
0003233845.tif 000007
【図６】
0003233845.tif 000008